(57)【要約】【課題】筒状本体内に侵入し進行する火種が放射する光を、外部より直接目視可能として興趣を増大させた玩具煙火を提供する。【解決手段】本発明の玩具煙火１は、筒状本体２と、筒状本体２内に配された導火部材４とを有し、筒状本体２には打ち抜き穴５ａ，５ｂ，５ｃ，５ｄが形成され、導火部材４の燃焼による光が打ち抜き穴５ａ，５ｂ，５ｃ，５ｄから直接放射されるように構成されている。このため、遊戯者は、筒状本体２内に侵入し進行する火種が放射する光を、外部より直接目視可能となり、花火遊戯の興趣がより増大する。【選択図】  図１
2005030658.tif 000002
【特許請求の範囲】
【請求項１】
筒状本体と、該筒状本体内に導入された導火部材とを有し、前記筒状本体には打ち抜き穴が形成され、前記導火部材の燃焼による光が前記打ち抜き穴から直接放射されるように構成されていることを特徴とする玩具煙火。
【請求項２】
前記筒状本体内には火薬充填部が配置され、該火薬充填部の外面に沿って前記導火部材が取り付けられ、前記打ち抜き穴は前記導火部材の取り付け方向に沿って前記筒状本体に複数形成されている請求項１に記載の玩具煙火。
【請求項３】
前記玩具煙火は打揚げ煙火であり、前記導火部材は、前記火薬充填部の上部から下部に至るまで火種を伝達するように配されており、前記筒状本体の複数の打ち抜き穴も、それに対応して該筒状本体の上部から下部に至るまで形成されている請求項２に記載の玩具煙火。
【請求項４】
前記玩具煙火は噴出煙火であり、前記導火部材は、前記火薬充填部の下部から上部に至るまで火種を伝達するように配されており、前記筒状本体の複数の打ち抜き穴も、それに対応して該筒状本体の下部から上部に至るまで形成されている請求項２に記載の玩具煙火。
【請求項５】
前記打ち抜き穴は、秒読みを認識可能な形状に形成されている請求項１ないし４のいずれかに記載の玩具煙火。
【請求項６】
前記導火部材は、燃焼持続性を有する第１の火薬部と、該第１の火薬部に沿って連続的に設けられた燃焼持続性を有しない第２の火薬部とを有し、前記第２の火薬部は、前記第１の火薬部が燃焼する過程で順次部分的に着火温度に達して燃焼消火を繰り返すことで間欠発光するものにて構成されている請求項１ないし５のいれずかに記載の玩具煙火。
【発明の詳細な説明】
【０００１】
【発明の属する技術分野】
本発明は、花火遊戯に供して好適な玩具煙火に関する。
【０００２】
【従来の技術】
従来の玩具煙火、例えば、打ち揚げ現象を生起させる打ち揚げ煙火、噴出現象を生起させる噴出煙火などは、筒状本体の外部に導出された点火部に点火すると火種が内部に侵入して数秒後に各花火現象が生起するように構成されている。
【０００３】
【発明が解決しようとする課題】
本願発明者は、筒状本体内に侵入し進行する火種に着眼して新規な玩具煙火を想起し本発明を完成するに至った。すなわち、本発明の課題は、筒状本体内に侵入した火種が放射する光を外部より直接目視可能として興趣を増大させた玩具煙火を提供することにある。
【０００４】
【課題を解決するための手段】
上記課題を解決するものは、筒状本体と、該筒状本体内に導入された導火部材とを有し、前記筒状本体には打ち抜き穴が形成され、前記導火部材の燃焼による光が前記打ち抜き穴から直接放射されるように構成されていることを特徴とする玩具煙火である。
【０００５】
前記筒状本体内には火薬充填部が配置され、該火薬充填部の外面に沿って前記導火部材が取り付けられ、前記打ち抜き穴は前記導火部材に沿って前記筒状本体に複数形成されていることが好ましい。前記玩具煙火は打揚げ煙火であり、前記導火部材は、前記火薬充填部の上部から下部に至るまで火種を伝達するように配されており、それに対応して前記筒状本体の複数の打ち抜き穴も該筒状本体の上部から下部に至るまで形成されていることが好ましい。前記玩具煙火は噴出煙火であり、前記導火部材は、前記火薬充填部の下部から上部に至るまで火種を伝達するように配されており、それに対応して前記筒状本体の複数の打ち抜き穴も、該筒状本体の下部から上部に至るまで形成されていることが好ましい。前記導火部材は、前記火薬充填部の上部から下部に向かって火種を伝達するように配されていることが好ましい。前記玩具煙火は噴出煙火であり、前記導火部材は、前記火薬充填部の下部から上部に向かって火種を伝達するように配されていることが好ましい。前記打ち抜き穴は、秒読みを認識可能な形状に形成されていることが好ましい。前記導火部材は、燃焼持続性を有する第１の火薬部と、該第１の火薬部に沿って連続的に設けられた燃焼持続性を有しない第２の火薬部とを有し、前記第２の火薬部は、前記第１の火薬部が燃焼する過程で順次部分的に着火温度に達して燃焼消火を繰り返すことで間欠発光するものにて構成されていることが好ましい。
【０００６】
【発明の実施の形態】
以下、本発明の玩具煙火を図面に示した各実施例を用いて説明する。
まず、図１および図２に示した本発明の玩具煙火の一実施例について説明する。図１は本発明の玩具煙火の一実施例の正面図であり、図２は図１のＡ−Ａ線断面図である。
【０００７】
この実施例の玩具煙火１は打ち揚げ煙火であり、筒状本体２と、筒状本体２の内部に配置された火薬充填部３とを有し、火薬充填部３の外側面３ａには、点火部４ａ付近から着火部４ｂ付近に至る間の導火部材４が取り付けられ、筒状本体２には導火部材４の取付方向に沿って複数の打ち抜き穴５ａ，５ｂ，５ｃ，５ｄが形成され、導火部材４の燃焼による光が打ち抜き穴５ａ，５ｂ，５ｃ，５ｄから順次放射されるように構成されている。以下、各構成について順次説明する。
【０００８】
筒状本体２は、玩具煙火１の外筒を構成する部位であり、図２に示すように、台座６に被嵌され立設保持されている。
【０００９】
この実施例の筒状本体２は水平断面が矩形となる四角筒状体に形成されているが、筒状体であればどのような形態でもよく、例えば、円筒体や四角以外の多角筒状体などでもよい。
【００１０】
筒状本体２を形成する材料としては、樹脂材料または紙製材料などが好適に使用できるが、この実施例の筒状本体２は段ボールにて形成されている。
【００１１】
火薬充填部３は、筒状本体２内を区画し、その内部に火薬７を充填するための部位であり、この実施例では円筒形の内筒にて構成されている。ただし、火薬充填部３はこの形態に限定されるものではなく、筒状本体２と離間した位置に外面を有し、内部に火薬７を充填可能なものであれば、どのような形態のものでもよい。
【００１２】
なお、この実施例の火薬充填部３は、図２に示すように、筒状本体２の内部中央付近に、筒状本体２の上部付近から下部に至るまで、筒状本体２の軸方向（長手方向）に沿って立設配置されている。
【００１３】
導火部材４は、外部より火種を内部に伝達し、火薬充填部３内の火薬７に着火するための部材であり、この実施例では特殊な導火線が使用されている。
【００１４】
すなわち、この実施例の導火部材４は、図３に示すように、燃焼持続性を有する第１の火薬部４Ａと、第１の火薬部４Ａに沿って連続的に設けられた燃焼持続性を有しない第２の火薬部４Ｂとを有し、第２の火薬部４Ｂは第１の火薬部４Ａが燃焼する過程で順次部分的に着火温度に達して燃焼消火を繰り返すことで間欠発光するものにて構成されている。
【００１５】
より具体的には、図４に示すように、燃焼持続性を有する火薬からなる第１の火薬部４Ａは、外皮４Ｃの内部に充填されており、燃焼持続性を有しない第２の火薬部４Ｂは、外皮４Ｃの外面に環状に付着されている。
【００１６】
なお、本願で言う「燃焼持続性を有する火薬部」とは、常温において火薬部の一端に着火すると他端まで継続して燃焼する火薬部を意味し、他方、「燃焼持続性を有しない火薬部」とは、常温において火薬部の一端に着火しても燃焼が継続せず中断してしまう火薬部を意味する。
【００１７】
このような「燃焼持続性を有する火薬部」と「燃焼持続性を有しない火薬部」は、火薬部の構成成分の配合を調整することによりそれぞれ作製される。すなわち、燃焼持続性を有する火薬部（第１の火薬部４Ａ）は、通常、用いられる成分配合の火薬が好適に使用でき、他方、燃焼持続性を有しない火薬部（第２の火薬部４Ｂ）は、燃焼を促進する成分、例えば、可燃剤（助燃剤）などの配合比を通常より低く設定することにより作製される。
【００１８】
この実施例の場合、第１の火薬部４Ａは硝酸バリウムと鉄粉と助燃剤とミジンコ糊から構成されており、配合比が重量％で、硝酸バリウム：鉄粉：助燃剤：ミジンコ糊＝５０：３５：１３：２に調整されている。他方、第２の火薬部４Ｂは、硝酸バリウム（酸素供給剤）とマグナリウムとミジンコ糊（バインダー）から構成されており、配合比が重量％で、硝酸バリウム：マグナリウム：ミジンコ糊＝５４：４３：３に調整されている。
【００１９】
そして、第１の火薬部４Ａの先端に着火すると、第１の火薬部４Ａの燃焼が進行する過程で第２の火薬部４Ｂが順次部分的に着火温度に達して燃焼し間欠発光する。具体的には、第２の火薬部４Ｂは、第１の火薬部４Ａの燃焼により、ある程度炙らないと着火しないように成分調整がなされているため、第１の火薬部４Ａが燃焼して行くと、着火するに必要な熱が伝導された一部領域のみが燃焼する。そして、一部が燃焼しても第２の火薬部４Ｂは燃焼持続性を有しないため、直に消火する（火が消える）。さらに、第１の火薬部４Ａの燃焼が進行することによって、この作用が繰り返えされ、第２の火薬部４Ｂの間欠的な燃焼に伴って間欠発光が生起される。
【００２０】
なお、この実施例の導火部材４は、間欠発光するものにて構成されているが、これに限定されるものではなく、一般的な導火線、スパークラー、ススキ花火、または吹出花火が使用されていてもよい。
【００２１】
そして、この導火部材４は、図１および図２に示すように、火薬充填部３の上部付近から下部付近に至るまで火種を伝達するように配されている。より具体的には、導火部材４は、その一端が筒状本体２の上端開口より若干突出可能に配されて点火部４ａを構成し、他端が火薬充填部３内に導入されて着火部４ｂを構成している。さらに、その中間部は、筒状本体２の長手方向の略全長に渡って設けられた火薬充填部３において、火薬充填部３の略全長に渡り、その外側面３ａにテープ部材８にて取り付けられている。
【００２２】
なお、この実施例の導火部材４は、火薬充填部３の外面３ａにおいて略直線状に配されているが、本発明の玩具煙火は、これに限定されるものではなくどのように配したものでもよく、例えば、火薬充填部の外面に螺旋状に配したものなども本発明の範疇に包含される。
【００２３】
他方、筒状本体２には、導火部材４の取付方向に沿って複数の打ち抜き穴５ａ，５ｂ，５ｃ，５ｄが形成されている。より具体的には、この実施例の筒状本体２には、導火部材４が火薬充填部３の上部から下部に至るまで配されていることに対応して、複数の打ち抜き穴５ａ，５ｂ，５ｃ，５ｄも、筒状本体２の上部から下部に至るまで形成されている。これにより、より長い時間、主現象（打ち揚げ現象）までの臨場感を遊戯者に体感させることができる。
【００２４】
また、打ち抜き穴５ａ，５ｂ，５ｃ，５ｄは、秒読みを認識可能な形状に形成されている。具体的には、この実施例の打ち抜き穴５ａは数字の３を表す穴からなり、５ｂは数字の２、５ｃは数字の１、さらに５ｄはＧＯと感嘆符とからなる穴から構成されている。そして、導火部材４の燃焼による光が、打ち抜き穴５ａ，５ｂ，５ｃ，５ｄより順次放射され、遊戯者に秒読みを認識（想起）させる形状となっている。
【００２５】
ただし、打ち抜き穴５は、このような秒読みを認識させるものに限定されず、文字、記号、絵柄などから構成されるものを広く包含し、複数の打ち抜き穴より順次光が放射されることにより、例えば物語などの観念を生じさせるものなどでもよい。また、秒読みを認識させる打ち抜き穴は、この実施例に限定されるものではなく、例えば漢数字などを象った形状に形成されていてもよい。さらに、この実施例の打ち抜き穴５は、導火部材４の取付方向に沿って、筒状本体２の上部から下部にかけて略直線状に形成されているが、これに限定されるものではなく、導火部材の取付方向に沿って、例えば螺旋状に形成されているものなども本発明の範疇に包含される。
【００２６】
つぎに、玩具煙火１の遊戯方法（作用）について説明する。
玩具煙火１にて花火遊戯を行う場合は、まず、導火部材４の点火部４ａを図１に示すように外部に導出して若干突出させる。つぎに、この点火部４ａに点火すると、火種は導火部材４に沿って下方に向かって移動して行く。この時、火種が各打ち抜き穴５ａ，５ｂ，５ｃ，５ｄの後方にさしかかると、その打ち抜き穴より光が放射されるため、順次打ち抜き穴５ａ，５ｂ，５ｃ，５ｄが光を発するように看取される。そして、導火部材４が下方まで燃焼すると、火種は火薬充填部３内に導入されて着火部４ｂに至り、火薬７に着火し主現象（打ち揚げ現象）が生起される。
【００２７】
このように、この実施例の玩具煙火１では、点火から、主たる花火現象（打ち揚げ現象）に至るまでの間に他の花火現象が生起するため、主現象までの臨場感を遊戯者に体感させることができ、花火遊戯の興趣がより増大したものとなる。また、この実施例では、導火部材４が間欠発光する特殊な導火線にて形成されているため、微細な点滅により臨場感をより高める構造となっている。さらに、導火部材の燃焼による光が各打ち抜き穴から直接目視できるため、より迫力のある光放射現象が生起する。さらに、筒状本体の上部から下部に渡って多数の打ち抜き穴が設けられているため、外観的にも興趣に富んだ玩具煙火となる。さらに、通常、打ち揚げ煙火は筒状本体の下部からの点火となるが、玩具煙火１は打ち揚げ煙火であるにもかかわらず、上部からの点火であり、その意外性によっても興趣に富む玩具煙火となる。
【００２８】
つぎに、図５および図６に示した玩具煙火１０について説明する。
この実施例の玩具煙火１０は噴出煙火であり、筒状本体２と、筒状本体２の内部に配置された火薬充填部３とを有し、火薬充填部３の外面３ａには、点火部１４ａ付近から着火部１４ｂ付近に至る間の導火部材１４が取り付けられ、筒状本体２には導火部材１４の取付方向に沿って複数の打ち抜き穴１５ａ（３の数字を象った穴），１５ｂ（２の数字を象った穴），１５ｃ（１の数字を象った穴），１５ｄ（ＧＯの文字と感嘆符を象った穴）が形成され、導火部材１４の燃焼による光が打ち抜き穴１５ａ，１５ｂ，１５ｃ，１５ｄから順次放射されるように構成されている。
【００２９】
この実施例の玩具煙火１０と前述した玩具煙火１との相違は、基本的には、玩具煙火１が打ち揚げ煙火であるのに対して、玩具煙火１０が噴出煙火である点に起因するものである。以下、相違点を中心に詳述するが、同一構成部分については同一符号を付し説明を省略する。
【００３０】
この玩具煙火１０の導火部材１４は、火薬充填部３の下部から上部に至るまで火種を伝達するように配されており、それに対応して筒状本体２の複数の打ち抜き穴１５ａ，１５ｂ，１５ｃ，１５ｄも、筒状本体２の下部から上部に至るまで形成されている。そして、火薬充填部３内には、噴出用火薬１７が充填されている。
【００３１】
玩具煙火１０にて花火遊戯を行う場合は、導火部材１４の点火部１４ａに点火する。これにより、火種は筒状本体２内に導入された後、導火部材１４に沿って上方に向かって移動して行く。この時、火種が各打ち抜き穴１５ａ，１５ｂ，１５ｃ，１５ｄの後方にさしかかると、その打ち抜き穴から光が放射される。これにより、順次打ち抜き穴１５ａ，１５ｂ，１５ｃ，１５ｄが発光するように看取できる。そして、導火部材１４が上方まで燃焼すると、火種は火薬充填部３内に導入されて着火部１４ｂに至り、火薬１７に着火し主現象（噴出現象）を生起させる。
【００３２】
このように、本発明の玩具煙火１０では、点火から主たる花火現象（噴出現象）に至るまでの間に他の花火現象が生起するため、主現象までの臨場感を遊戯者に体感させることができ、花火遊戯の興趣がより増大したものとなる。また、この実施例においても、導火部材１４は間欠発光する特殊な導火線にて形成されているため、微細な点滅により臨場感をより高める構造となっている。さらに、導火部材の燃焼による光が各打ち抜き穴から直接目視できるため、より迫力のある光放射現象となる。さらに、筒状本体の上部から下部に渡って多数の打ち抜き穴が設けられているため、外観的にも興趣に富んだ玩具煙火となる。さらに、通常、噴出煙火は筒状本体の上部からの点火となるが、玩具煙火１０は噴出煙火であるにもかかわらず、下部からの点火であり、その意外性によっても興趣に富んだ煙火となる。
【００３３】
なお、上述した実施例は、打ち揚げ煙火または噴出煙火であるが、本発明の玩具煙火はこれに限定されるものではなく、火薬充填部を有さず主現象のない玩具煙火（導火部材による花火現象のみからなるもの）も、本発明の範疇に包含される。また、打ち上げ煙火には、単発式のものの他、連発式のものも包含される。さらに、上述した実施例は、火薬充填部の外面に導火部材が取りつけられているが、これに限定されるものではなく、火薬充填部と筒状本体との間に形成される空間に導火部材が配されたものも本発明の範疇に包含される。さらに、上述した実施例の玩具煙火は、長手方向が垂直方向に延在する筒状本体を有したものであるが、筒状本体が長手方向が水平方向に延在するものも本発明の範疇に包含される。
【００３４】
【発明の効果】
請求項１に記載した発明によれば、火種が放射する光を外部より直接目視可能とし興趣を増大させた玩具煙火となる。
請求項２に記載した発明によれば、主たる花火現象に至るまでの臨場感を遊戯者に体感させることで興趣を増大させた玩具煙火となる。
請求項３に記載した発明によれば、上記請求項１または２の効果をより奏する打ち揚げ煙火となる。
請求項４に記載した発明によれば、上記請求項１または２の効果をより奏する噴出煙火となる。
請求項５に記載した発明によれば、遊戯者が主たる花火現象までの秒読みを体感でき、興趣に富んだ玩具煙火となる。
請求項６に記載した発明によれば、打ち抜き穴から放射される光が間欠的な光放射現象となり、より興趣に富んだ玩具煙火となる。
【図面の簡単な説明】
【図１】本発明の玩具煙火の一実施例の正面図である。
【図２】図１のＡ−Ａ線断面図である。
【図３】図１に示した玩具煙火に使用されている導火部材の正面図である。
【図４】図３のＢ−Ｂ線断面図である。
【図５】本発明の玩具煙火の他の実施例の正面図である。
【図６】図５のＣ−Ｃ線断面図である。
【符号の説明】
１  玩具煙火
２  筒状本体
３  火薬充填部
４  導火部材
５  打ち抜き穴
６  台座
７  火薬
８  テープ部材
【図１】
2005030658.tif 000003
【図２】
2005030658.tif 000004
【図３】
2005030658.tif 000005
【図４】
2005030658.tif 000006
【図５】
2005030658.tif 000007
【図６】
2005030658.tif 000008